(57)【特許請求の範囲】
【請求項１】
対物レンズを駆動する対物レンズ駆動機構が、該対物レンズを除く各種光学素子が組み込まれる光学ハウジングに取り付けられて構成される光学ヘッド装置において、前記対物レンズ駆動機構の外枠を構成するフレームの両側面上端部に、前記光学ハウジングに対する前記対物レンズ側の突部を設け、該突部が係合される凹部を該光学ハウジングに設け、該突部を該凹部に挿入させて枢支部を構成させ、該光学ハウジングに該対物レンズ駆動機構をネジにより取付ける透孔と、該透孔を介して該光学ハウジングにネジ止めされるネジ孔とを該対物レンズ駆動機構の該枢支部から離間した位置に設け、該透孔と該対物レンズ駆動機構との間に、バネを介して該ネジ孔にネジ止めさせ、押圧材にくの字型に設けられた板バネを該光学ハウジングに係止させて、該押圧材にて該突部を押圧させたことを特徴とする光学ヘッド装置。
【請求項２】
前記光学ハウジングの両側面に設けた前記枢支部を前記対物レンズの同一線上に設けると共に、前記押圧材の前記板バネの先端を該光学ハウジングの止め孔に係止させて、該押圧材にて前記突部を押圧させたことを特徴とする請求項１に記載の光学ヘッド装置。
【請求項３】
前記押圧材を前記光学ハウジングに係止させて該押圧材にて前記突部を押圧させるときに、金属板の該押圧材に一体形成された前記板バネを使用したことを特徴とする請求項２に記載の光学ヘッド装置。
【発明の詳細な説明】
【０００１】
【発明の属する技術分野】
本発明は、光学ハウジングに対物レンズ駆動機構を取り付けて組み立てられる光学ヘッド装置に関する。
【０００２】
【従来の技術】
ディスク等の信号記録媒体に対して光学的に信号の読み取り、あるいは書き込みを行う光学ヘッド装置は、通常、対物レンズを駆動させる対物レンズ駆動機構を、光源からの光ビームを前記対物レンズに導く光路及び信号記録媒体により反射された光ビームを光検出器に導く光路が形成される光学ハウジングに取り付けて構成されている。
【０００３】
対物レンズ駆動機構を光学ハウジングに取り付けて構成される光学ヘッド装置においては、対物レンズのタンジェンシャル方向に対物レンズ駆動機構を回動可能に枢支し、信号記録媒体上の光スポットのコマ収差が最小となるように対物レンズの光軸調整が行われる。
【０００４】
このような光学ヘッド装置は対物レンズ駆動機構の外枠を構成するフレームの下面に枢支部と該フレームの先端に金具にて前記フレームを下面に押圧する鍔を片方のフレームに設けると共に、前記鍔を設けている片方の他端のフレームには下面よりバネを介してネジにより光学ハウジングに取り付け、必要に応じ、ネジを締め付けもしくは緩めてフレームごとレンズ姿勢調整を行うよう構成されていた。
【０００５】
【特許文献１】
特開２０００−１１３４７０号
【特許文献２】
特開２００２−９２８９７号
【０００６】
【発明が解決しようとする課題】
このように構成された光学ヘッド装置は光学ハウジング中心軸上が回転中心となるように枢支部を設けて、該枢支部を支点として両側で引っ張り合う為、光学ハウジングの枢支部と両サイドの付勢する部分との間で変形荷重が発生し、初期の光軸変化や経時的な光軸変動の懸念があった。また、光学ピックアップの筐体である光学ハウジングの剛性が確保できる状況ではさほど問題とならなかったが、薄型化から超薄型化と剛性確保が難しくなり、更に光ピックアップの仕様がＣＤ再生からＤＶＤ再生、ＣＤ書き込みとＤＶＤ再生更にはＣＤ書き込みとＤＶＤ書き込みと僅かな光軸変化が性能に致命的となる状況では、この変化による性能に与える問題があった。
【０００７】
【課題を解決するための手段】
本発明は、対物レンズを駆動する対物レンズ駆動機構が、該対物レンズを除く各種光学素子が組み込まれる光学ハウジングに取り付けられて構成される光学ヘッド装置において、前記対物レンズ駆動機構の外枠を構成するフレームの両側面上端部に、前記光学ハウジングに対する前記対物レンズ側の突部を設け、該突部が係合される凹部を該光学ハウジングに設け、該突部を該凹部に挿入させて枢支部を構成させ、該光学ハウジングに該対物レンズ駆動機構をネジにより取付ける透孔と、該透孔を介して該光学ハウジングにネジ止めされるネジ孔とを該対物レンズ駆動機構の該枢支部から離間した位置に設け、該透孔と該対物レンズ駆動機構との間に、バネを介して該ネジ孔にネジ止めさせ、押圧材にくの字型に設けられた板バネを該光学ハウジングに係止させて、該押圧材にて該突部を押圧させたことを特徴とする。
【０００８】
【実施例】
図１は本発明の一実施例に係る光学ヘッド装置の展開状態を示す展開斜視図であり、図２は図１の光学ヘッド装置において対物レンズ駆動装置の取付状態を示す斜視図である。
【０００９】
対物レンズ駆動機構１は対物レンズ２が装着されたレンズホルダー３を４本の支持ワイヤー４（下側の２本は図示されず）により外枠となるフレーム５に支持して構成されている。
【００１０】
フレーム５は金属板の板金加工により形成され、所定部分にはマグネットが固着されるヨークの役割を担っている。
【００１１】
レンズホルダー３には、フォーカシングコイル及びトラッキングコイルの各駆動コイルが装着され、それらの各駆動コイルに供給される駆動電流が対物レンズ駆動機構１で形成される磁界に有効に作用される。
【００１２】
このように構成されることにより対物レンズ駆動機構１は、ディスクの信号面に光ビームを合焦されるフォーカス制御及びディスクの信号トラックに光ビームを追従させるトラッキング制御が行えるように対物レンズ２が駆動される構成となっている。
【００１３】
光学ハウジング６はアルミダイキャストにより構成され、その光学ハウジング６には対物レンズ駆動機構１が配置される空間７が形成されると共に、各種光学素子（図示せず）が配置される光路が形成されている。
【００１４】
また、対物レンズ駆動機構１のフレーム５の一端側の両側面上部には、それぞれ突部８ａ、８ｂが形成されている。
【００１５】
光学ハウジング６の空間７を囲う両側壁には、それぞれ前記各突部８ａ、８ｂに対応する位置にその各突部８ａ、８ｂを枢支する各凹部９ａ、９ｂが形成されている。
【００１６】
対物レンズ駆動機構１を光学ハウジング６に取り付ける際には、対物レンズ駆動機構１のフレーム５の各突部８ａ、８ｂを光学ハウジング６のそれぞれ対応する凹部９ａ、９ｂに挿入させ、枢支部１０ａ、１０ｂが構成される。
【００１７】
このように対物レンズ駆動機構１を光学ハウジング６に設置した後、対物レンズ駆動機構１の前記枢支部１０ａ、１０ｂから離間した位置に設けられたネジ孔１１に光学ハウジング６の下方から透孔１２とコイルバネ１４を介してネジ１３を螺合して対物レンズ駆動機構１をレンズ姿勢調整用として光学ハウジング６に取り付けられる。
【００１８】
各突部８ａ、８ｂが凹部９ａ、９ｂに挿入された後に、板金加工により形成された金属板の押圧材１５に設けられた押圧部１５ａ、１５ｂにより、前記突部８ａ、８ｂを押圧させると共に、押圧部１５ａ、１５ｂの近傍に設けられ下面方向にくの字型に形成されるとともに先端がＬ字状に形成された板バネ１５ｃ、１５ｄが、光学ハウジング６に設けられた止め孔１６ａ、１６ｂに張着される。
【００１９】
この対物レンズ駆動機構１が光学ハウジング６に取り付けられた状態において、各突部８ａ、８ｂが各凹部９ａ、９ｂに挿入されることにより前記各突部８ａ、８ｂを結ぶ軸上を中心に対物レンズ駆動機構１が光学ハウジング６に回動可能に枢支部１０ａ、１０ｂが構成されている。その為、ネジ１３の螺合度合を調節することにより前記各突部８ａ、８ｂを結ぶ軸上を中心にして対物レンズ駆動機構１の他端側が光学ハウジング６に対して上下し、対物レンズ２のタンジェンシャル方向の傾き調整を行うことが出来る。
【００２０】
【発明の効果】
以上の如く、本発明によれば、対物レンズを駆動する対物レンズ駆動機構が、対物レンズを除く各種光学素子が組み込まれる光学ハウジングに取り付けられて構成される光学ヘッド装置において、対物レンズ駆動機構の外枠を構成するフレームの両側面上端部に、光学ハウジングに対する対物レンズ側の突部を設け、突部が係合される凹部を光学ハウジングに設け、突部を凹部に挿入させて枢支部を構成させ、光学ハウジングに対物レンズ駆動機構をネジにより取付ける透孔と、透孔を介して光学ハウジングにネジ止めされるネジ孔とを対物レンズ駆動機構の枢支部から離間した位置に設け、透孔と対物レンズ駆動機構との間に、バネを介してネジ孔にネジ止めさせ、押圧材にくの字型に設けられた板バネを光学ハウジングに係止させて、押圧材にて突部を押圧させたので、調整用のネジに独立してバネが設けられても、レンズ姿勢調整が行われるときに、光学ハウジング全体をくの字に曲げる変形荷重が発生しない。
【００２１】
そして、超薄肉の光学ハウジングにおいても光軸変動が起こりにくく、初期性能の確保とその後の性能劣化につながる要因の一つを取り除くことが可能となり、同時に超薄型光ピックアップの実現で剛性の低下したフレームの変形発生回避にもつながっていることでレンズ姿勢変動を抑えることにも貢献している。
【００２２】
また、本構造の特徴として、前記フレームの回転中心である枢支部の真上を押圧材で押圧しているので、対物レンズに入射する光軸にレンズセンターを合せるトラッキング方向のアクチュエータシフト調整を容易に行うことができ、また、調整後の残留応力の発生も回避できる。
【図面の簡単な説明】
【図１】  本発明の一実施例に係る光学ヘッド装置の展開状態を示す展開斜視図である。
【図２】  図１の光学ヘッド装置において対物レンズ駆動機構の取付状態を示す斜視図である。
【符号の説明】
１              対物レンズ駆動機構
２              対物レンズ
５              フレーム
６              光学ハウジング
８ａ、８ｂ      突部
９ａ、９ｂ      凹部
１０ａ、１０ｂ  枢支部
１１            ネジ孔
１２            透孔
１３            ネジ
１４            コイルバネ
１５            押圧板
１５ｃ、１５ｄ  板バネ
１６ａ、１６ｂ 止め孔
【図１】
0004549014.tif 000002
【図２】
0004549014.tif 000003